(57)【要約】  コンテンツマネージメントシステム（CMS）は、利用できるコンテンツを編集するように構成されることができる。コンテンツが急速に更新されることができるように、CMSはウェブ・インタフェースとして提供されることができる。ユーザ・データは、個々のユーザまたは一つ以上の特定の位置と関連して集められることができる。実施形態は、現場交通、間取り図およびレイアウトの有効性、ストア配置、位置の関数としての広告率、リース率、ユーザ実態的人口統計学、習慣を購入しているユーザおよび他のユーザ側面に関連した情報を含む。【選択図】図１Ａ
2013545154.tif 000002
【特許請求の範囲】
【請求項１】
選択された地図位置と関連するコンテンツに関するリクエストを受信するように構成されたネットワークインターフェースであって、前記リクエストが、前記位置と関連する無線（ＲＦ）サインを包含することを特徴とするネットワークインターフェースと、
前記ＲＦサインと関連する少なくとも１つのコンテンツエレメントを識別するように構成されたプロセッサと、
を有することを特徴とするコンテンツ配送システム。
【請求項２】
前記ＲＦサインが、無線アクセ・スポイント識別子と、前記無線アクセス・ポイントと関連する少なくとも１つの受信された信号強度とに関連することを特徴とする請求項１に記載のコンテンツ配送システム。
【請求項３】
前記プロセッサが、少なくとも１つのコンテンツエレメントを受信し、ネットワークインターフェースを介して前記コンテンツエレメントと通信するように構成されたことを特徴とする請求項１に記載のコンテンツ配送システム。
【請求項４】
前記コンテンツエレメントが、オーディオ・ファイル、ビデオ・ファイル、またはテキストファイルであることを特徴とする請求項１に記載のコンテンツ配送システム。
【請求項５】
前記プロセッサが、選択された地図位置の近位の地図位置に関連するコンテンツの入手可能性の指示を提供するように構成されることを特徴とする請求項１に記載のコンテンツ配送システム。
【請求項６】
対応する地図位置およびコンテンツと関連するＲＦサインをストアするように構成された少なくとも１つのコンピュータ読取可能媒体と、
地図位置の選択を受信し、前記地図位置の少なくとも１つにコンテンツを割り当てるように構成されたユーザ・インタフェースと、
を有することを特徴とするシステム。
【請求項７】
少なくとも１つのコンテンツ通知タイプをコンテンツアイテムに割り当てることを更に有し、
前記コンテンツ通知タイプが、関連する位置での存在に基づくコンテンツアイテムの表示と関連することを特徴とする請求項６に記載のシステム。
【請求項８】
コンテンツの割り当てに関する地図位置を表示するように構成された地図表示を更に有することを特徴とする請求項６に記載のシステム。
【請求項９】
前記コンテンツが、オーディオ・ファイル、ビデオ・ファイル、またはテキストファイルであることを特徴とする請求項８に記載のシステム。
【請求項１０】
前記コンテンツアイテムが、選択された地図位置での位置を備えたベンダーと関連するクーポンであることを特徴とする請求項８に記載のシステム。
【請求項１１】
前記コンテンツが、価格指示に基づいて割り当てられることを特徴とする請求項８に記載のシステム。
【請求項１２】
無線サインに基づいた位置と関連するベンダー特定コンテンツを提供するステップと、
前記ベンダー特定コンテンツに対するユーザ・アクセスの少なくとも１つの指示を受信するステップと、
前記少なくとも１つの指示と関連するユーザ・アクセスの値を見積もるステップと
を有することを特徴とする方法。
【請求項１３】
前記値を見積もるステップが、コンテンツに対するユーザ・アクセスの数に基づくことを特徴とする請求項１２に記載の方法。
【請求項１４】
コンテンツに関連するベンダー施設に対するユーザ・アクセスまたは数を判断するステップを更に有することを特徴とする請求項１３に記載の方法。
【請求項１５】
前記ベンダー特定コンテンツが、ベンダー・クーポンであることを特徴とする請求項１３に記載の方法。
【請求項１６】
複数の現場位置に関する無線（ＲＦ）サインを得るステップと、
少なくとも１つの現場位置にコンテンツを割り当てるステップと、
少なくとも１つの現場位置に関連してＲＦサインの受信に応答するコンテンツを提供するステップと
を有することを特徴とする方法。
【請求項１７】
前記コンテンツが、オーディオ、ビデオ、イメージ、またはテキストのうちの少なくとも１つからなることを特徴とする請求項１６に記載の方法。
【請求項１８】
前記ＲＦサインが、位置識別子と、前記位置と関連する無線送信の少なくとも１つの特徴とを包含することを特徴とする請求項１７に記載の方法。
【請求項１９】
前記位置識別子が、前記位置の近位の無線アクセス・ポイントに関連するサービスセット識別子（Service Set Identifier）を包含することを特徴とする請求項１８に記載の方法。
【請求項２０】
少なくとも１つのコンテンツアイテムが、ポップアップアイテムとして表示されることを特徴とする請求項１８に記載の方法。
【請求項２１】
無線アクセス・ポイントからの無線送信を検出するように構成された無線受信機と、
検出された送信に基づいてモバイルデバイスの位置を判断するように構成されたプロセッサと、
現場の地図で入手可能な位置ベースコンテンツの指示を提供するように構成されたディスプレイと
を有することを特徴とするモバイルデバイス。
【請求項２２】
前記プロセッサが、前記検出された送信の特徴をリモート現場データベースと通信することによってモバイルデバイス位置を判断するように構成されたことを特徴とする請求項２１に記載のモバイルデバイス。
【請求項２３】
前記プロセッサが、モバイルデバイスの現場データベースに基づいてモバイルデバイス位置を判断するように構成されたことを特徴とする請求項２１に記載のモバイルデバイス。
【請求項２４】
現在のＢＳＳＩＤおよび関連するコンテンツをストアするように構成されたデータベースと、
少なくとも１つのＢＳＳＩＤをアップデートし、前記アップデートされたＢＳＳＩＤを前記データベースにストアするように構成されたコントローラと
を有することを特徴とするコンテンツマネージメントシステム。
【発明の詳細な説明】
【技術分野】
【０００１】
関連出願に対する相互参照
本出願は2010年9月10日の米国仮出願第61/381,903号および2011年6月6日の米国仮出願第第61/493,901号の優先権を主張し、その両方は本願明細書に引用したものとする。
【背景技術】
【０００２】
モバイルデバイス使用法は、広範囲にわたるようになった。多くのユーザは、インターネットに関する情報を調べ、天気を点検して、ニュースを読み、新しい目的地に操縦するようにこれらのデバイスに依存する。しかし、ユーザが受信するコンテンツは、モバイルデバイスで利用できる比較的不正確な位置情報からみて、一般に制限される。加えて、ユーザに提供される情報の多くは通常ユーザ位置に関し、ユーザのローカル環境の詳細を決定することは不可能である。小売商は、モバイルデバイスを使用している多くの潜在的顧客と情報交換する様々な方法を採用した。例えば、ユーザは受けることができるそれを電子メールを送るクーポンまたはベンダーがウェブ・ページから戻されるウェブ・ページまたは地図上の配置の、払うことができるベンダーを含むことができるかまたは含むことができない。これらの方法は、一般によく目標とされ、タイムリでもあるし、密接に現在のユーザ場所と関係している。特定のユーザに合わせてタイムリーに、位置ベースの情報を提供するための改良された方法および装置が必要とされている。
【発明の概要】
【課題を解決するための手段】
【０００３】
開示は、この種のサインに基づいて特定の場所と関係し、割り当てられたコンテンツを届けるRFサインを生成するための方法およびデバイスに関係する。詳細な説明は、添付の図面を参照して下に示す。ユーザにルートおよび電流場所を示して、ルートに基づくコンテンツを提供するためにスマートフォンを使用して目的地へ案内することができるナビゲーション・システム及び方法を開示する。従来のGPSまたはRFIDシステムとは異なり、特別なハードウェアは必要でなく、動作範囲は非常により大きい。一のダウンロード可能なアプリケーションは、様々なコンテンツ・プロバイダと関連するコンテンツを検索し、表示し、送り届けるように構成されることができる。コンテンツ・プロバイダは、利用できる製品およびサービスに関する情報を提供するためにモバイルデバイス表示背景、スクリーン・セーバ、テキスト、オーディオ、ビデオを送り届けることができる。現場の特定のアプリケーション・モジュールは、空港（例えばフライト情報）、博物館（例えば博物館旅行）およびスタジアムの座席販売および他の目的のために提供されることができる。アプリケーションは、モバイルデバイスユーザの図の範囲内にあるプロバイダと関連して、コンテンツを発表するように構成される入力を提供することができる。位置ベースサーチが提供され、クーポンまたは他の顧客誘惑が加えられることができる。現在の場所から目標への移動のためのナビゲーションの情報が、提供されることができる。コンテンツマネージメントシステム（Content Management System（CMS））は、利用できるコンテンツを編集するように構成されることができる。コンテンツが急速にアップデートされることができるように、CMSはウェブ・インタフェースとして提供されることができる。ユーザ・データは、個々のユーザおよび一つ以上の特定の場所と関連して集められることができる。実施形態は、現場交通、間取り図およびレイアウトの有効性、ストア配置、位置の関数としての広告率、リース率、ユーザ実態的人口統計学および習慣を購入しているユーザに関連した情報を含む。いくつかの実施形態では、屋内の環境の範囲内でローカルの興味のある地点を識別する方法はユーザがそれらに近づくにつれて、どの興味のある地点が動的にユーザのモバイルデバイスに表示される地図か他の種類の通知上のポップアップ・アイコンと確認されるかについて提供されるが、多数の他の実施形態およびアプリケーションがある。いくつかの実施形態では、コンテンツ配送システムは選択された地図位置と関連するコンテンツのリクエストを受信するように構成されるネットワークインターフェースを含み、リクエストは、位置と関連した無線（RF）サインを含む。プロセッサは、RFサインと関連する少なくとも一つのコンテンツエレメントを識別するように構成される。いくつかの実施形態では、RFサインは、無線アクセス・ポイントと関連する無線アクセス・ポイント識別子および少なくとも一つの受け取られる信号強度と関係している。更なる実施形態では、プロセッサは、少なくとも一つのコンテンツ要素を検索し、ネットワークインターフェースを経たコンテンツ要素を伝達するように構成され、コンテンツ要素はオーディオ・ファイル、ビデオ・ファ��ル、ストア・クーポンまたはテキストファイルである。いくつかの実施形態では、プロセッサは、すぐ近くの地図位置と関連するコンテンツの入手可能性の指示に選択された地図位置を提供するように構成される。システムは、対応する地図位置およびコンテンツに関連してRFサインをストアするように構成される少なくとも一つのコンピュータ読取可能媒体を含む。ユーザ・インタフェースは、地図位置の選択を受信し、コンテンツを地図位置のうちの少なくとも1つに割り当てるように構成される。いくつかの実施形態では、ユーザ・インタフェースは、少なくとも一つのコンテンツ通知タイプをコンテンツアイテムに割り当てるように構成され、コンテンツ通知タイプは関連する位置での存在に基づいてコンテンツアイテムの表示と関係する。他の実施形態において、システムはコンテンツの譲渡の地図位置を表示するために地図ディスプレイを提供する。方法は、ベンダーに無線周波数サインに基づく場所と関連する特定のコンテンツを提供し、ベンダー特定コンテンツへのユーザ接近の少なくとも一つの指示を受け入れることを含む。ユーザ・アクセスの値は、少なくとも一つの指示に基づいて推定される。いくつかの実施形態では、値はコンテンツへの多くのユーザ接近またはコンテンツと関連するベンダー施設への多くのユーザ接近に基づき、ベンダーは値に基づいてチャージされる。方法は、複数の現場位置のための無線（RF）サインを得て、コンテンツを少なくとも一つの現場位置に割り当てることを含む。コンテンツは、少なくとも一つの位置と関連するRFサインを受け取ることに応答して提供される。RFサインは、位置識別子および位置又は場所に近接無線アクセス・ポイントに関連付けられたサービスセット識別子（Service Set Identifier）に関連付けられた無線送信の少なくとも１つの特性が挙げられる。いくつかの実施形態では、少なくとも一つのコンテンツアイテムは、ポップアップアイテムとして表示される。開示された技術のこれらの、または他の、特徴および態様は、添付の図面を参照して後述する。
【図面の簡単な説明】
【０００４】
【図１Ａ】図1Aは、WiFiアクセス・ポイント、ルータおよび他のWiFi接続と関連するRF信号のスキャンに基づいて、無線周波数サインを物理的な場所に割り当てる代表的な方法を例示するブロック図である。
【図１Ｂ】図1Bは、RFサインに基づいてモバイルデバイスの位置を決定する代表的な方法を例示するブロック図である。
【図２】図2は、コンテンツを場所と関連させるためのユーザ・インタフェースを例示する。
【図３】位置に基づいたコンテンツの表示または選択するために提供されるモバイル・デバイスディスプレイを例示する。
【図４】位置に基づいたコンテンツの表示または選択するために提供されるモバイル・デバイスディスプレイを例示する。
【図５】位置に基づいたコンテンツの表示または選択するために提供されるモバイル・デバイスディスプレイを例示する。
【図６】図６は、開示された方法の実施のための代表的なコンピュータ環境を例示する。
【図７】図7は、コンテンツを複数の場所に提供し、モバイルデバイスのユーザに、コンテンツの入手可能性を表示することと関連する代表的なモバイルデバイスディスプレイである。
【図８】図8は、マルチ階層地のフロアの変更のような位置の変更を検出し、および、対応するフロアマップおよび関連するコンテンツでモバイルデバイスディスプレイを更新する代表的な方法のブロック図である。
【図９】図9は、場のコンテンツが利用できる一つ以上の場所で表示されたマーカーピンを提供し、マーカーピンで又はその近くで、若しくは、バナー領域のディスプレイに位置ベースコンテンツを提供することによって１又はそれ以上の表示されたマーカーピンで又はその近くでタッチスクリーンの場所とのユーザコンタクトのようなユーザ入力に応答することを包含するダイナミックコンテンツディスプレイの代表的な方法の線図である。図15に示すように、バナー領域は、モバイルデバイスディスプレイの底縁部に位置する。
【図１０Ａ】ルート地図を表示するようなユーザ・ルート方向を提供し、および、ユーザ場所周辺でコンテンツの入手可能性又は入手可能コンテンツを検索/表示する代表的な方法のブロック図を例示する。
【図１０Ｂ】ルート地図を表示するようなユーザ・ルート方向を提供し、および、ユーザ場所周辺でコンテンツの入手可能性又は入手可能コンテンツを検索/表示する代表的な方法のブロック図を例示する。
【図１１】図11は、場にモバイルデバイスへの特定のアプリケーションを提供する代表的な方法のブロック図である。
【図１２】図12は、ユーザ・モバイルデバイスの位置と関連するコンテンツの入手可能性を決定し、モバイルデバイス上の地図ディスプレイのようなディスプレイ上のこの種のコンテンツの入手可能性を示す代表的な方法のブロック図である。このように提供される代表的なディスプレイは、図7に示される。
【図１３】図13は、場マネージャ、位置ベース・サービスプロバイダ、および、ナビゲーションまたはwayfindingエンジンを含む場の特定のコンテンツを提供するための代表的なシステムを例示するブロック図である。
【図１４】図14は、場の特定のアプリケーション・プログラムを実行し、場に特定またはブランド化可能な（brandable）表示イメージを提供するように構成されるモバイルデバイスを例示する。
【図１５】図15は、モバイルデバイス場所周辺でユーザ定義可能な領域またはモバイルデバイス場所と関連する検索結果を提供するためにダイナミックなカテゴリに基づくサーチを提供するように構成されるモバイルデバイスを例示する。モバイルデバイスはまた、場所に基づく表示分野を目標とされた広告のようなコンテンツに提供するように構成されることができる。
【図１６】図16は、博物館収集と関連するコンテンツのような場所に基づくコンテンツを表示するように構成されるモバイルデバイスを示す。
【図１７】図17は、場所との関連のためのコンテンツを加えるためのユーザ・インタフェース・ディスプレイを例示する。
【図１８Ａ】ハンドセットのようなモバイルデバイスで、場に特定のコンテンツをセーブする代表的な方法のブロック図である。
【図１８Ｂ】ハンドセットのようなモバイルデバイスで、場に特定のコンテンツをセーブする代表的な方法のブロック図である。
【図１８Ｃ】図18Cは、場に特定のコンテンツを送信する代表的な方法のブロック図である。
【図１９】図19は、デジタルサイネージと相互に作用する方法を例示し、ハンドセット、サーバおよびデジタルサイネージ間の通信を示しているブロック図である。
【図２０Ａ】図20Aは、デジタルサイネージを有する相互作用と関連するメッセージアップデートを例示する。図20Aは、ハンドセットに表示されるメッセージのリストのトップへの新規なメッセージの追加を示す。
【図２０Ｂ】図20Bは、デジタルサイネージを有する相互作用と関連するメッセージアップデートを例示する。例えば、図20Bは、メッセージと関連する場所にもはや存在しないユーザに応答して、リストからメッセージ（メッセージ2）の除去を示す。
【図２１】図21は、小売業者コンテンツをモバイルデバイスユーザに出して、ユーザによってコンテンツアクセスに基づいて小売業者をチャージする方法を例示する。
【図２２】図22は、モバイルデバイスディスプレイ上の関連する地図の場所で、ベンダー・クーポンの表示を例示する。
【図２３】図23は、特定の場のコンテンツの入手可能性に従い、この種のコンテンツを検索するための格納されたコンピュータ-実行可能な命令に基づくモバイルデバイスアプリケーションを例示する。
【図２４】図24は、音声またはビデオ・データ、グラフィックスまたは特定の場所を有するテキストのようなデータと関連し、モバイルデバイスによって検索のためのコンテンツデータベースにこの種のデータを提供するように構成される場の管理ウェブサイトを操作する方法を例示する。
【図２５】図25は、アクセス・ポイント名前再割当ての方法を例示する。
【発明を実施するための形態】
【０００５】
本明細書および特許請求の範囲において用いられるように、単数が明確である場合を除いて複数形を包含する。加えて、用語「包含する」は、「からなる」をも含む。更に、用語「結合」は、結合されたアイテムの間の中間エレメントの存在を排除しない。
は手段が「成り立つことを「含む」。」、よりFurtherに、「連結される」項は被結合部材の間で中間の要素の存在を除外しない。
【０００６】
本願明細書において記載されているシステム、デバイスおよび方法は、いかなる形式であれ限定するように解釈されてはならない。その代わり、本開示は、種々の開示された実施形態のさまざまな組合せ、および、互いの副組合せ、全ての新しくて非自明な特徴および態様の方向を目指す。開示されたシステム、方法およびデバイスは、いかなる特定の態様もまたは特徴に限定されず、または、その組合せ、および、開示されたシステム、方法およびデバイスは、一つ以上のいかなる特定の効果、解決課題を必要としない。動作のいかなる理論も説明を容易にするようになっているが、開示されたシステム、方法およびデバイスは動作のこの種の理論に限定されない。
【０００７】
いくつかの開示された方法の動作が便利なプレゼンテーションを求める特定の、連続した命令に記載されているにもかかわらず、特定の配列が後述の特定の言語によって必要でない限り、この方法が再配置を含むと理解されなければならない。例えば、順番に記載されている動作は、場合によっては再配置されることができ、または並行して実行されることができる。さらに、簡単化のために、添付の図は、開示されたシステム、方法およびデバイスが他のシステム、方法およびデバイスと連動して使われることができるさまざまな方法を示すことができない。更に、詳細な説明は、開示された方法を記載するために時々用語「生成する」および「提供する」を同様に用いる。これらの用語は、実行される実際の動作の高水準の抽象的な概念である。これらの用語に対応する実際の動作は、特定の実装に従って変化し、従来技術において当業者によって直ちに識別可能である。
【０００８】
便宜のために、ユーザ・アクションは、いくつかの以下の実施形態において参照される。この種のアクションは、コンピュータ（例えばコンピュータ、携帯電話または他のデバイス）によって、概してコンピュータ-実行可能な命令の実行に関連する。場合によっては、「ユーザ」は「ユーザデバイス」に関連すると理解されることができる。多数の実施形態、例えば、ユーザデバイスはタッチスクリーンまたは他の入力デバイスでユーザ入力に応答することは明らかである。
【０００９】
デバイスの現在の位置が利用できる場合、特定の場所と関連するコンテンツは移動通信デバイスのユーザに提供されることができる。呈されるサインがIEEE 802.11スタンダードまたは他の無線ネットワーク標準に基づく無線通信または構成と関連するローカルRF信号に、基礎をおいた無線（RF）に基づいて、驚くほど正確で信頼性が高い位置データが、確立されることができる。ここで使用しているように、RFは1MHz乃至100GHzの間の周波数の電磁気信号に関連する。ローカルRF信号を調査して、検出RF信号に基づいてRFサインを生成することによって、RFサインは、空間場所と関係していることがありえる。一つ以上の無線アクセス・ポイントからの信号は、RFサイン・マップを開発するために複数の場所で検出されることができる。
【００１０】
サインがそれらの広範囲にわたる実施のために便利にIEEE 802.11のプロトコルに基づくにもかかわらず、いわゆるBLUETOOTHプロトコルおよびZIGBEEのようなIEEE 802.15に記載されているこれらのかかる他のRF信号ベースプロトコルを使用することができる。用途によっては、これらの代わりの標準が、好まれる。例えば、ZIGBEEベースのデバイスは、電池駆動であり、このように非常事態（例えば火事または事故）において予想されることができるので、力が衰える状況において作動し続ける。したがって、セキュリティおよびレスキュー人員は、これらのサインに基づく場所を決めることができ、したがって、応答することができる。
【００１１】
RFサインを生成して、マッピングする代表的な方法を図1Aに例示する。一般的に、RFサインは、ワイヤレス・ネットワークデバイス（例えばアクセス・ポイント（AP）およびルータ）によって、一つ以上のRF周波数チャネルに発生する検出パワーに基づいて受け取られる信号の強さインジケータ（RSSI）の一つ以上の機能に基づく。利用できるローカルデバイスは問い合わせられることができ、識別はデータベースに加えられることができる。例えば、特定のAPを識別しているサービスSet識別子（SSID）は格納されることができ、または、Basic Service Set Identifier（BSSID）は格納されることができる。BSSIDは、概してユニークな識別子であり、場合によってはAPのMACアドレスである。領域を探査することにより、RFサイン・マップは、決められることができる。
【００１２】
図1Aに関して、例えば、一つ以上の物理的な場所に無線周波数（RF）にサインを割り当てる方法は、サインが、100で決定されることになっている場所の地図を供給することによる獲得手順の初期化を含む。地図が前の割り当てから入手可能な場合、102で、地図が104で選ばれると決定したので、手順は利用できる。用途によっては、地図の選集も、サイン獲得が要求されるフロアの選択を含む。106で、地図データ（例えば、地図タイル、セル、または、地図と関連する場所に関連するRFサイン）は、場のデータベースから取り出される。新しい地図がスキャンされることになっている場合、地図はスキャンされ、108で地図タイルに分かれ、そして、拡大・縮小された地図およびタイルは110で現場のデータベースに格納される。106で、新しい地図のための地図データは、現場データベースから取り出されることができる。
【００１３】
地図データは112、概して続けてスマートフォンのようなモバイルデバイスのディスプレイスクリーン、ネットブック・コンピュータまたはラップトップ・コンピュータでユーザ・インタフェースに表示されることができるが、他のデバイスが使われることができる。ナビゲーションの間、推定された時間および選択された目標までの距離を示すために、114で、前もって決定されたスケールの要請は、現場データベースにまたは従来のスキャンに基づいて提供される。スケールがすでにセットされないかまたは利用できない場合、適切なスケールは、116でセットされ、スケールは後の使用に備えてストアされる。
【００１４】
アクセス・ポイント・スキャンは、120から始まり、122で概してそばに無線ネットワーク（「スキャンしているWi-Fi」）のためのスキャンを始める。受け取られる無線信号は124で処理され、すでに選択された地図と関係している無線ネットワーク・アクセス・ポイントが、124で検出される場合、スキャンは122に続く。選択された地図と関連するアクセス・ポイント・データベースで発見される無線ネットワークが検出されない場合、検出アクセス・ポイントと関連する識別子は、126でアクセス・ポイント・データベースに加えられる。基地局サービスのような概して無線アクセス・ポイント・パラメータは、識別（BSSID）をセットし、または、サービス設定された識別子（SSID）は格納される。この種のアクセス・ポイントのために、関連するコンテンツは、図1Cにおいて例示される手順を解析している現場において得られることができ、後述する。
【００１５】
セルが130（すなわち、アクセス・ポイント・データベースは、セル分裂を含まない）でアクセス・ポイントと関係していると決定されない場合、セルの場所は、132で地図に選ばれ、セルは134で生成される。セル形状は、セルと関係しているためにデフォルトの位置範囲に基づいてまたは総面積、周辺部またはボリュームに基づいてつくられ得る。
あるいは、セル形状は、個々に、任意のセルの集合、一つのセル、またはすべてのセルで設定することができ、例えば、グラフィカル・ユーザ・インタフェース上のセル構造のユーザ選択は、又は他の方法で選択される。136で、セルデータは、現場データベースに加えられる。前に確立したセルが、130で識別される場合、セルは140でユーザ・インタフェースに表示される。セルと関連する各々のアクセス・ポイントの無線スキャンは、142で始められ、各々のアクセス・ポイントのための受け取られる信号強の指示（RSSI）は144で格納される。RSSIの測定のための多くのスキャンは、セットされることができ、146で、スキャン制限に達したかどうか決定される。そうでない場合には、スキャンは142に続く。スキャン制限に達した場合、スキャン結果は、148で格納されることができる。いくつか（典型的には、全て）に関して、スキャンされたアクセス・ポイント、スキャンされたRSSI値の標準偏差および平均RSSI値は決定され、標準偏差および平均は現場データベースにストアされる。150では、他のセルへの接続が加えられ、152で、コネクションは作成される。接続は、154で現場データベースに加えられる。図1Aに関して、一般的に、アクセス・ポイントと関連するRSSIまたは類似した識別子は、150で識別され、データベース152に格納される
図1Bに示すように、モバイルデバイスは、ローカルRF信号に問い合わせ、ローカルRFサインを決定するように構成されることができる。モバイル・デバイスは、ローカルRF信号を感知し、ローカル・サインを生産するこれらのRF信号および／またはモバイルデバイス場所の評価を処理する。あるいは、ローカル信号レベルなどのSSID、BSSIDの、または電波強度などの他のパラメータは、モバイルデバイスに位置情報を返すことができ、リモートネットワークベースのシステムに供給することができる。あるいは、モバイルデバイスの位置は、直接モバイルデバイスが利用できる必要はなく、その代わりに備えるために、適切な、場所に特有のコンテンツを識別する際のコンテンツ・プロバイダによって使用される。
【００１６】
図23は、その特定の現場のコンテンツの利用可能性に応じてこれらのコンテンツを検索するための格納されたコンピュータ実行可能命令に基づいてモバイル装置アプリケーションを例示し、図24は、オーディオまたはビデオデータ、グラフィックス、または特定の位置でテキストなどのデータを関連付けて、モバイルデバイスによって検索のためのコンテンツデータベースのようなデータを提供するように構成される現場管理webサイトを動作させる方法を示す図である。
【００１７】
図23を参照すると、モバイルデバイスの代表的なコンテンツアプリケーションの動作は、2304でモバイルデバイスのチェック無線ネットワークステータス（典型的には、WIFI状況）を含み、WIFIがアクティブでない場合、アプリケーションは2308でやめる。一方、2306の無線スキャンで、データは集められ、2310でコンテンツまたは位置サーバに送信される。スキャンデータに基づいて、現場コンテンツの入手可能性は、2312で完全にまたは部分的に利用できる（または利用できない）ように示される。現場は、部分的にサポートされ、またはサポートされない場合は、モバイルアプリケーションは、2314で限られた状態で実行され、または、完全に現場の具体的な活動をサポートした場合のデータは、2318で現場プロトコルバッファを構文解析することによって取得される。
【００１８】
現場コンテンツは、2318で戻され、コンテンツデータベース2320に格納され得る。通常、アプリケーションが初めて初期化されたあと、ユーザは、2322でEnd User License Agreement（EULA）を受け入れるよう求められ、受け入れられない場合、アプリケーションは2324でやめる。一方、ナビゲーション・リストは、2326でロードされる。モバイルデバイス較正は、2328で選ばれ、較正は2330で行われる。モバイルデバイスの位置は、次いで、2328と推定され、位置特定のコンテンツおよびユーザ・インタフェースと一緒に2334およびモバイル・アプリケーションの他の構成要素で表示される。
【００１９】
図23を参照と、現場アドミニストレーション2340は、コンテンツデータベース2320に配給するために用いることができるウェブサイトに基づく。（上記したように、場管理のための代表的なユーザ・インタフェースは、図2において例示される。）地図およびセルデータは、2342でロードされる。地図は2344で選ばれ、2346で表示され、概して続けてウェブ可能にされたユーザ・インタフェースで表示される。一つ以上のセルは表示された地図を使用して2348で選ばれ、コンテンツは2350で加えられる。2352で、コンテンツはモバイルデバイスによってアクセスのためのデータベース2320にアップロードされる。
【００２０】
図2は、現場の地図を表示するように構成される視覚的ユーザ・インタフェース200またはどのRFサイン位置情報が一つ以上のセルで提供されるコンテンツと関係していることがありえるか（例えばショッピングセンタまたはショッピングセンタの選択された領域）その部分の表現である。利用できる地図のリストのような入力フィールド201は、特定の地図の提供された選集である。たとえば、リストには現場の複数の関連付けられた利用可能なマップ、または特定の場所で使用可能なマップの利用可能なマップまたはその一部を含めることができる。図2に示すように、場所またはセル203はコンテンツ関連のために選ばれ、場所と関連する標識は選択された色（形状）で表示され、または、コンテンツが提供した強調しているか点滅しているかより別の指示のような強調はセル203と関係する。場所204、206、208、210は、これらの位置および/またはこれらの場所を顧客に供給されたコンテンツを関連付ける要求に対するRFサインの可用性の観点から、コンテンツの関連付けに適したとして示される。利用できる場所は、選択された色、形状または他の表示特徴を働かせて表示されることができるが、コンテンツが現在割り当てられることができる活性セルと関連する標識と違って一般に表示される。
【００２１】
視覚的インターフェースは、セル名または記述が、商品のようなセル、サービスまたはセル、メディア、通知または選択されたセルと関連するショッピングクーポン、又はその近くで、位置する企業の記述に基づくセルコンテンツデータの入力とともに、セル名領域212において示されることができるように構成される。図2に示すように、様々なタイプのコンテンツは、ローカル施設（例えば、ストア）、施設と関係しているメディア（音楽またはビデオ）、利用できるショッピングクーポンまたは他のコンテンツに関する情報のように提供され得る。一般的に、利用できるコンテンツは、RFサインに基づいてこの種のコンテンツに待機態勢を取る近くの企業および潜在的顧客に適している。図２の実施形態において、セル208と関連するコンテンツ部材214、216は、対応するコンテンツ説明に加えてコンテンツ参照識別子218、220およびコンテンツタイプ識別子222、224によって表示される。コンテンツは、対応するデータ・ファイルまたは関連を選択されたコンテンツに加えることによって一般に加えられる。
【００２２】
図3は、利用できるベンダーのディレクトリまたは選択された現場と関連するサービスを表示するように構成されるディスプレイを含む代表的なモバイルデバイス300を例示する。モバイルデバイスディスプレイは、それぞれ、ユーザが選択可能な入力された分野303-305を利用できるベンダー、クーポン、メディアまたは現在の場所（または現在選択されたベンダー）と関連するユーザ・コメントと関連するコンテンツの選択に提供するように構成される。図3の実施形態において、ベンダーおよびサービスは、それぞれのディスプレイエリア310-314のカテゴリにおいて示される。典型的には、これらのディスプレイ領域のそれぞれは、そのようなタッチスクリーン入力としてユーザ入力に基づいて、ユーザ膨張または収縮自在である。加えて、各々の領域310-314で、特定のアイテムのユーザ選択は、特定のアイテムに関連付けられたコンテンツの全画面表示の提示を活性化し、または選択したアイテムの表示可能領域を拡張するように構成することができる。代表的なアプリケーションにおいて、ショッピングセンタのユーザは、SSIDsおよびRSSsを得るために利用できる無線アクセス・ポイントのモバイルデバイス・インタロゲーションに基づいて、ユーザについて予め定められた領域の中でベンダーと関係しているコンテンツに接近することができる。現場コンテンツはまた、同様に提供されたより遠い場所でありえる。加えて、ユーザの場所で、又はその近くで、ベンダーと関連するショッピングクーポンのようなコンテンツは、提供されることができる。
【００２３】
ユーザが、コンテンツが特定の場所で利用できることを知っているので、図4は代表的なモバイルデバイス400上の一部の地図ディスプレイ402を例示する。図4の実施形態において、映画館の位置は示され、場所404は利用できるコンテンツを有するとして強調される。この種の指示に基づいて、モバイルデバイスユーザは、ユーザが場所404に接近するまで、その位置特定のコンテンツが利用できなくてもよいことを知っている。いくつかの実施形態では、ユーザが特定の場所に近づくと、所定時間後、または、ユーザが終了位置などの表示から削除され、コンテンツポップアップアイコンが表示されます。このようなディスプレイは、モバイルデバイスのユーザに通知するだけ役立つかもしれないが、特定の位置でのコンテンツの利用は、場所にユーザを描くのに役立つので、場所からコンテンツに関連した商品とサービスの宣伝によい。
【００２４】
図5に関して、モバイルデバイスディスプレイ500は、場所に対応するRFサインに基づいて、特定の場所にある（または、さもなければ、関連した）事業に関連したコンテンツを提供する位置情報を示すように構成される。図５に示すように、ディスプレイエリア504は、ビジネスロゴまたはバナー506、および利用できるサービスまたは商品508の記述を表すように構成される。コンテンツがあることになっている企業またはサービスが提供したいくつかまたは全てに関して、追加的なユーザ入力フィールド510、511は、ユーザが事業ウェブサイトを見ることができるように定められることができ、または、それぞれ、タッチスクリーン入力を含むデバイスディスプレイのために電話コールを初期化することができる。あるいは、固定されたユーザ入力ボタンまたはスイッチは、これらの機能を割り当てられることができ、ディスプレイ500上のすぐ近くの場所で割り当ては示される。ストア・クーポン、メディアおよびユーザ・コメントのような追加的なコンテンツの入手可能性はまた、タッチスクリーン入力エリアとして役立つことができるディスプレイエリア512-514に示されるかまたは動的に他のハードウェア入力に割り当てられる。ディスプレイエリア512-514はまた、表示されることができる。そして、灰色にされるように、色をつけられるかまたは追加的なコンテンツが利用できるかまたは利用できないことを示すために強調される。
【００２５】
代表例は、便利な具体例のための特定のハードウェアおよびソフトウェアに関して記載される。特に、タッチスクリーン・ディスプレイを含むモバイルデバイスが、いくつかの実施形態では使われる。しかし、開示された方法とデバイスはこの種の特定の実施に限られず、図6および以下の説明は開示された技術が実装されることができる典型的なコンピューティング環境の簡潔な、一般の説明を提供することを目的とする。必要でないにもかかわらず、開示された技術はコンピュータ-実行可能な指示（例えばプログラム・モジュール）の一般のコンテキストに記載されている。そして、パーソナルコンピュータ（PC）によって実行される。通常、プログラム・モジュールはルーチン、プログラム、目的、構成要素、特定の作業または履行特定の抽象データ型を実行するデータ構造、その他を含む。さらに、開示された技術は他のコンピュータシステム構成によって実装されることができ、携帯デバイス、マルチプロセッサ・システム、マイクロプロセッサに基づくかプログラム可能な家電、ネットワークPC、ミニコンピュータ、メインフレーム・コンピュータなどを含む。通信ネットワークによって連結される遠隔処理デバイスによって、作業が遂行される配布されたコンピューティング環境において、開示された技術はまた、実施されることができる。配布されたコンピューティング環境において、プログラム・モジュールはローカルで遠隔メモリ記憶デバイスに位置することができる。
【００２６】
図6に関して、開示された技術を実装する典型的なシステムは典型的な従来のPC 600の形で、多目的コンピュータを含み、一つ以上の処理ユニット602、システム・メモリ604および一つ以上処理ユニット602にシステム・メモリ604を含んでいるさまざまなシステム構成要素を連結するシステムバス606を含む。システムバス606は、数種類のメモリバスまたはメモリコントローラを含むバス構造、周辺バスおよび様々なバスアーキテクチャのいずれかを使用しているローカルバスのいずれかであってもよい。典型的なシステム・メモリ604は、読出し専用メモリ（ROM）およびランダムアクセスメモリ（RAM）610を含む。PC 600の範囲内でエレメントの間で情報の転送を手伝う基本的ルーチンを含むbasic input/output system (BIOS) 612が格納される。
【００２７】
典型的なPC 600は、一つ以上の記憶デバイス630（例えばハードディスクを読んで、書くためのハードディスクデバイス、取り外し可能な磁気ディスクを読むかまたは書くための磁気ディスク駆動デバイスおよび取り外し可能な光ディスク（例えばCD-ROMまたは他の光学式媒体）を読むかまたは書くための光学的ディスク駆動デバイス）を更に含む。それぞれ、この種の記憶デバイスは、ハードディスクデバイスインタフェース、磁気ディスク駆動デバイスインタフェースおよび光学的ドライブ・インタフェースによってシステムバス606に接続していることができる。ドライブおよびそれらの関連するコンピュータ可読のメディアは、コンピュータ可読の指示の不揮発性記憶デバイス、データ構造、プログラム・モジュールおよび他のデータをPC 600に提供する。他の種類のPC（例えば磁気カセット、フラッシュ・メモリカード、デジタル・ビデオ・ディスク、CD、DVD、RAM、ROMなど）によってアクセスできるデータを格納することができるコンピュータ可読の媒体がまた、典型的な操作環境において使われることができる。
【００２８】
多くのプログラム・モジュールは、オペレーティングシステム、一つ以上のアプリケーション・プログラム、他のプログラム・モジュールおよびプログラム・データを含む記憶デバイス630に保存されることができる。ユーザは、命令および情報を一つ以上の入力デバイス640（例えばキーボードおよびポインティングデバイス（例えばマウス））によりPC 600に入力することができる。他の入力デバイスは、デジタル・カメラ、マイクロホン、ジョイスティック、ゲーム・パッド、衛星アンテナ、スキャナ等を含むことができる。これらの、そしてまた他の、入力デバイスはしばしばシステムバス606に連結するが、他のインタフェース（例えばパラレル・ポート、ゲーム・ポートまたは汎用シリアル・バス（USB））によって接続されることができるシリアルポート・インタフェースによる一つ以上処理ユニット602に接続している。他の種類のモニタ646または表示デバイスは、また、インタフェース（例えばビデオアダプタ）を経たシステムバス606に接続している。他の周辺出力デバイス（例えばスピーカおよびプリンタ（図示せず））は、含まれることができる。
【００２９】
PC 600は、一つ以上のリモート・コンピュータ（例えばリモート・コンピュータ660）への論理的接続を使用しているネットワーク化された環境において作動することができる。いくつかの実施形態では、一つ以上のネットワークまたは通信接続650は、含まれる。リモート・コンピュータ660は、他のPC、サーバ、ルータ、ネットワークPCまたはデバイスまたは一般的なもう一方がネットワーク化するピアであってもよいノード、そして、概して、メモリ記憶デバイス662だけが図6において例示されたにもかかわらず、PC 600と関連して多くまたは記載されている要素の全てを含む。一般的には、メモリ記憶デバイス662は、コンピュータ-実行可能な指示を場管理666および／またはRFサイン判定664に備えてストアするように構成される。パソコン600および／またはリモート・コンピュータ660は、論理的なローカル・エリア・ネットワーク（LAN）、そして、ワイド・エリア・ネットワーク（WAN）に接続することができる。この種のネットワーク環境は、オフィス、エンタープライズ・ワイド・コンピュータ・ネットワーク、イントラネットおよびインターネットにおいて平凡である。
【００３０】
環境をネットワーク化しているLANにおいて使われるときに、PC 600はネットワークインターフェースでLANに接続している。WANネットワーク環境において使われるときに、PC 600は概してWAN（例えばインターネット）の上の通信を確立するためのモデムまたは他の手段を含む。ネットワーク化された環境において、パソコン600またはそれの部分と関連して表されるプログラム・モジュールは、LANまたはWAN上の遠隔メモリ記憶デバイスまたは他の場所に格納されることができる。示されるネットワークコネクションは典型的であり、コンピュータ間の通信リンクを決める他の手段が使われることができる。
【００３１】
図7において例示される特定の実施において、モバイルデバイス700は、モバイルデバイスの方位に基づくポップアップ・インジケータ（例えば140G場所と関連するコンテンツの入手可能性を示す代表的なインジケータ702-704、140F、140Dおよびユーザ場所の評価およびユーザが対向している方向を提供するインジケータ706）を示すように構成されるディスプレイ701を含む。現場についてのユーザ運動として702-704のようなポップアップ・インジケータが現在のユーザ場所に基づいて示されることができるために、モバイルデバイス700はRFサインを遠隔位置サーバに発信するように構成されることができる。商品、サービスまたは他の場所に関してテキストまたはグラフィックスを含むディスプレイ素子が情報の基礎を形成したので、ポップアップ・インジケータは一般に提供される。ポップアップは、関連するテキストまたはグラフィックスを有する異なった表示されたグラフ・アイコンとして提供されることができる。この種の視覚のテキストまたはグラフィックス・ベースのポップアップに加えて、ポップアップは音声またはビデオ・データ（モバイルデバイス振動のような触覚の通知）に基づいて提供されることができる。例えば、この種の通知の組合せは、また、振動がオーディオの開始と関連を含むモバイルデバイスを提供することができる位置の明確な情報、または、コンテンツテキストまたはグラフィックスがモバイルデバイスディスプレイで利用可能である通知を役立つことができる。あるいは、モバイルデバイスプロセッサがモバイルデバイス場所を更新することができるために、移動局はRFサイン・データのローカル・データベースを備えることができる。モバイル・デバイス700は、それからモバイルデバイス場所を位置ベースのコンテンツデータベースに発信することができ、ポップアップ・インジケータ地図位置を受信することができる。代わりに、全ての、または、一部の現場コンテンツ（ポップアップ・インジケータを含む）はモバイルデバイス700で計算機可読のメディアに保存され、または、いくつかのデータはローカルに格納され、いくつかのデータはリモートで保存される。
【００３２】
図8は、ユーザデバイスの位置の変化を検出する方法を例示する。いくつかの実施形態では、複数フロアの現場のフロアの変化が検出され、モバイルデバイスディスプレイは対応するフロア地図および関連するコンテンツによって更新される。位置の要請は、800で生成され、現在の位置の識別子が戻される。802で、現在の場所と関連する地図、典型的には、地図識別子（例えば地図名、英数字ストリングまたは識別バイト）が識別される。現在の場所の地図識別は、利用できるアクセス・ポイントおよびRSS値の前のスキャンから、地図識別子と比較される。現在の地図識別子が異なる場合、新しい地図、タイル、セルおよび現在の場所と関連する他の位置データは804で得られる。いくつかの実施形態では、現在の場所は、複数フロア現場のフロアの変更と一致する。
【００３３】
806で、現場記述は新しい地図に基づいて更新され、その結果、現在の場所のための適当な場情報は地図で利用可能である。808で、新しい地図が表示されるため、要因を拡大・縮小している地図は調整され、距離を進むことは決定され得る。810で、状況地図活動ディスプレイは、評価される。地図活動が表示されない場合、位置の要請は814でなされる。地図において、活動は現在表示され、新しい場所（例えば新しいフロア）のための地図は812で載せられる、そうすると、位置の要請は814でなされる。
【００３４】
図9に関して、地図に関するコンテンツの表示は、900で得て、現在の場所のための地図を表示することを含む。902で、地図に関連するかまたはオーバーレイされたコンテンツは識別され、または、この種のコンテンツの不足は検査される。オーバレイコンテンツがある場合、904で、コンテンツが関連する場所は場所でピンまたは他の視覚のインジケータを表示することによって示される。視覚のインジケータは、様々な形の関連するコンテンツまたは現場の近くのベンダーの特徴のために異なることがありえる。
【００３５】
906で、一つ以上のピン（概してピンが表示されるタッチスクリーン上の場所に対するタッチとして）のユーザセレクションは検出され、908で、バナーの現状が評価される。活性化していないバナーである場合、910で、選択されたピンと関連するバナーコンテンツは表示される。ユーザが912でバナーを選ぶ場合、選択されたピンのためのコンテンツディスプレイは916で作動する。バナーは910で作動中であり、909で、ピンは新規な（異なる）ピンが選ばれたかどうか調べるために前に選択されたピンと比較される。ピンが新しく選ばれる場合、コンテンツバナーは910で揚げられる。新規なピンが選ばれない場合、バナーは911で退けられる。最後に、917でユーザ位置は変化をモニタする。ユーザ位置変化を検出すると、即座に、方法はコンテンツの入手可能性を評価するために902に戻る。
【００３６】
図10A-10Bは、コンテンツを提供する方法および情報を見つけている方法を例示する。1002で、ユーザはユーザ場所を決定し、表示することを要請し、1006で、地図はユーザ位置の視覚のインジケータとともに表示される。あるいは、1004で、ユーザは方向を要請することができ、地図は1008で表示される。ユーザが方向を要請した場合、1008で、方法はルート出発点を選ぶためのインストラクションの表示のための1010へ進む。例えば、「開始点のためのダブルタップ・マップ」のような要請は、ユーザをルートを決めることで援助するために表示されることができる。タップは1012で検出され、タップ数はダブルタップを識別するように1014で評価される。ユーザが方向を得ている場合、処理が1028の方向を目指して、1016で、最も近い地図セル、得られ、概して地図データベース1030に基づくタップ場所がある。1004のタップされた場所と要請された場所と間の経路は1032で得られ、経路は1034で表示される。ユーザ位置が要請される場合、1018で、ユーザ位置はタップ場所に表示された地図の上に置かれる。1020で、1、2、5、10、15、20または50mのような予定されている現場の選択可能な距離の範囲内のユーザ位置のまわりのコンテンツは、データベース1021から取り出される。コンテンツの入手可能性は、1022で、評価され、1024で、マーカーは、コンテンツが利用できるる場所で表示される。次いで、1026で、地図はリフレッシュされ得る。
【００３７】
一般的に、モジュール、構成要素またはコンテンツ検索へのアプリケーションは、現場の特定のアプリケーションまたは現場の特定のコンテンツの入手可能性に基づいて、ユーザデバイスに届けられることができる。図11に関して、現場の特定のアプリケーションを届ける方法は、ディスク上にまたは他の計算機可読のメディア1104で格納される現場データベースについてたずねることによって1102で現場を決定することを含む。1108で格納されるアプリケーション・データベースは、現場の特定のアプリケーションが1106で利用できるかどうか決定するためにたずねる。現場の特定のアプリケーションが利用できる場合、1110で、アプリケーションのためのデータはデータベース1112から取り出され、アプリケーションおよびアプリケーション・データは1114でモバイルデバイスに送り届けられる。モバイルデバイスで、コンテンツ交付アプリケーションのためのメイン・メニューは1116で構築され、現場アプリケーションが現在モバイルデバイスが利用できる場合、現場の特定のアプリケーションは1120でメイン・メニューを修正する。現場アプリケーションが1118で利用できない場合、コンテンツ交付アプリケーションおよびアプリケーション送出の更なる変更態様は1122のところで終わらない。
【００３８】
図12を参照すると、リモートデータベースからのコンテンツは、次のようにモバイルデバイスまたは他のデバイスに配給されることができる。1206で、現在の場所は決定され、1202で、質問はコンテンツデータベース1204に基づいて一緒にユーザ場所周辺で領域と関連するコンテンツの入手可能性に関して作られる。コンテンツが1208で利用できる場合、利用できるコンテンツと関連するセル識別子または他の位置識別子は1210でコンテンツロケーションのリストに加えられる。1212で、リストのいくつかまたは全てのセルのために、セルはコンテンツがディスプレイにかぶせられることができるセルのリストに加えられる。セルのリストの端が1216で達される場合、利用できる部材または部材（例えばコンテンツポップアップ）の入手可能性が1218および更新された地図の表示で表示された地図に示して、1220に続く。コンテンツが利用できない場合、同様に地図表示は1220に続く。
【００３９】
図13を参照すると、現場の特定のコンテンツ配送システムは、一般に現場交通分析（行為ユーザ側面分析）を評価し、非一時的媒体1304に保存されるコンピュータ-実行可能な命令に基づいて、コンテンツを管理するように構成されることができる現場管理サーバ1302を含む。加えて、ロケータ・エンジン1306（概して、コンピュータ-実行可能な命令およびRFフィンガープリントのデータベースを実装）は、受け取られるRFアクセス・ポイント・データ（例えばBSSIDsおよびRSSs）に基づいて、ユーザデバイス場所を推定するように構成される。コンポーネントはハードウェアに実装される、または、同じく1312で多目的ナビゲーション・データを含むことができるナビゲーション・データベース1314に基づくナビゲーション1302のためのソフトウェアは一つ以上の障害に基づいて個人のためのデータまたは個人の集まりをカスタマイズした。位置ベースのサービス・モジュール1308は、位置がコンテンツ、現場の特定のアプリケーションおよびブックマークされたオフラインのコンテンツの基礎を形成したと定めるように構成される。
【００４０】
図14は現場の名前であってもよいイメージを表示するために用いることができるメイン・メニュー・スクリーン領域1402を含むディスプレイを有するモバイルデバイス1400を例示し、または、ロゴおよびユーザはユーザの入力と関連する面積1404にユーザ・コマンドと一緒のコンテンツ交付アプリケーションへの命令が現場の特定のモジュールのユーザ起動のためにあると命令する。図15は、それぞれ、アクセスしておよび／または現場ディレクトリ、利用できるクーポンおよび利用できるメディアを検索することと関連するタッチスクリーン表示および入力エリア1502A-1502Cを含むモバイルデバイスディスプレイ1500を例示し、一つ以上の場所と関係している。加えて、結合された入力および表示領域1504-1508は選択された現場でタイプまたは利用できる商品およびサービスのカテゴリを表示するように構成され、入力/表示領域1510、1512はタイプのサブセットまたは1504-1508のカテゴリとして詳細なコンテンツの選択ができるように構成される。バナー広告または他のバナーコンテンツは、1520で表示される。図16は、海事博物館での関心のあるアイテムに関する情報を表示するように構成されるモバイルデバイス1602を例示する。ユーザ入力1608、1610は博物館ウェブサイトにアクセスするか、または博物館に電話をかけて提供され、ディスプレイエリア1601はアイテムに関する提供された情報である。
【００４１】
図17は、ナビゲーション・マップの作成および場所に基づくコンテンツの譲渡のためのユーザ・インタフェース1700を例示する。いくつかの実施形態では、例えば、ユーザ・インタフェースは現場管理人によって現場コンテンツサーバでコンテンツ譲渡と関係し、または、この種のインタフェースはローカルまたはワイド・エリア・ネットワーク（例えばインターネット）を経た遠隔場管理人に提出されることができる。クリエイト地図ユーザ入力エリア1702は、コンテンツを割り当てるかまたは割り当てられたコンテンツを修正するために起動することができる。データ入力域1712は、様々な形のコンテンツの提供された譲渡である、テキスト、オーディオ、ビデオ、イメージまたは他のデータを含み、そして、地図域1730は提供されて、コンテンツが割り当てられた場所を表示し、現場管理人が追加的な場所に選んで、コンテンツを割り当てることができるように構成される。図17に示すように、代表的な場所1732、1734、1736は、現場地図1731上のコンテンツ譲渡のために選ばれる。地図1731の追加的な部分は、1733A、1733Bスクロールバーを使用している現場管理人が利用できるようにされることができる。
【００４２】
データ入力エリア1712は、「新しいものを加える」コンテンツが割り当てられることができる新しい場所またはセルの生成ができるようにする入力エリアを含む。ユーザは、地図1731（タッチスクリーンに表示される場合）をタップするかまたは位置指示デバイス（例えばコンピュータ・マウスまたはトラックボール）を使用するかまたはキーボード上の矢印キーを使用することによって新規なこの種のセルと関連する場所を選ぶことができる。既存のセルは、割り当てられたコンテンツに加算または改訂のために同様にユーザにより選択されていることがありえる。それぞれ、実施形態のユーザ入力エリア1712は、施設説明、関連するメディア、通知およびクーポンと関連するタブ1717-1719を含む。通常、この種のコンテンツはリモートであるか競争している場所のための位置、しかし、コンテンツがまた、含まれることができるセルで、又はその近くで、あるベンダーに関する、例えば、他のストアに続けるために、潜在的顧客を誘惑する。説明領域1714が名前、ロゴ、商品またはサービスのタイプまたは他のテキストであるかグラフィック情報の包含のために、提供される、ディスプレイエリア1708が施設説明およびURLディスプレイエリア1710の表示および入力のために提供される施設は、あるベンダー・インターネットアドレスの表示および入力を提供する。ディスプレイエリア1704は、コンテンツファイルのために提供され、コンテンツ情報（例えばタイプおよびコンテンツファイルの寸法）と同様に視覚のプレビューを提供するように構成される。
【００４３】
図18Aを参照すると、会場またはハンドセットのようなモバイルデバイスの車を選ぶことを含むユーザの位置が1802および記録電流で位置を保存すると述べるユーザの場所を保存する代表的な方法は、1804でモバイルデバイスの現在の位置と関連するセルのRFサインと関連して調和する。一般的に、地名のためのプロンプトは1806で提供され、例えば、要請された名前は1808でできるようにされた文字および長さに関して正当性のために点検される。無効な名前が要請された場合、1810で、単にエラーを強調し、または、情報をエラーに関して提供するメッセージだけが表示される。1812で決定されるとき、名前がすでに使用中の場合、エラー・メッセージは1810で表示される。有効な名前が要請される場合、名前は1814でモバイルデバイスでデータベース1816に格納される。名づけられた場所は、1818でモバイルデバイスに発表される地図に表示されることができる。ユーザは、様々な場所（例えば駐車場、会場、ストア、アートワーク、ショッピングセンタのアプリケーションのための会議室、博物館、コンヴェンション・センター、大学または他の公的であるか個人的なスペース）を保存することを決めることができる。
【００４４】
1820で、ユーザは一つ以上の保存された場所に方向を得るように選択することができる。例えば、場所がすでに保存された駐車場所へ、ユーザはルートを要請することができる。（加えて、保存された場所は図18Cに示すように下で共有されることができ、例えば、異なるシステム・ユーザの車までのルートは選択されることができる。）ユーザがセーブした位置でさらに活発である場合、1822で、場所は格納される。1824で、現在の現場の保存された場所のリストは人口が多く、ユーザは1826で場所を選ぶ。リストは1828で編集の中で発表されることができ、リストの編集が要請されない場合、183で得られたユーザの現在の場所から選択された場所への経路は1830で選ばれてある。経路は、それから1835でモバイルデバイスの現場の地図に示される。場所が1830で編集されることになっている場合、新しい地名は1831で提供されることができる。1838のリストからの位置削除の要請の後に、1840で一般に確認要請が続く。一回名前を変えている削除、1842、場所または前の名前は、場所または名前の中で受け入れられ、1844のモバイルデバイスの位置データベースから取り除くことができる。
【００４５】
多くの状況において、ユーザは友人、系統、仕事同僚または他に好適な場所を提供することができられる。例えば、図18Cに示すように、ユーザは1860の送信メニューを選び、1862で地名を入力することを促される。1864で、セルまたは場所識別子、セル座標および地名は、データベース1866に格納される。この記憶位置情報は、1868の送信識別および1870で選ばれる交付の方法を割り当てられる。例えば、電子メール送信は、1872で要請される。送信された識別は、1874の交付の準備ができていて、社会的メディア・アプリケーションまたはテキストのようなアプリケーションを共有しているかまたはアプリケーションを送っている第三者のような外部アプリケーション1876を経て加えられる。いくつかの実施形態では、場所が送られ、1878の取付けられたか含まれた位置情報を有する電子メールを生成し、電子メールは1880でコンタクトに転送される。位置発信者によって好まれるように、典型的な実施形態は、コンタクトに場所を満たすことを送っているユーザを含むかまたはコンタクトが特定の場所（そして、関連するコンテンツ）を見つけるのを助ける。この種の位置情報の受取人は、概してそばにリストから場所を選んで、図18Bにおいて例示されるそれと同様の方法の共有場所に、一般にそれらの現在の場所（または他の場所）から、経路を得ることができる。
【００４６】
図19を参照すると、ハンドセット、サーバおよびデジタルサイネージ間の通信を有するデジタルサイネージと相互に作用する代表的な方法は、モバイルデバイスユーザが1902で決められるユーザ場所に基づいて、1904で放送された可能にされたセルにいるかどうかについて決定することを含む。放送が現在のセルで可能にされた場合、セルおよびユーザ識別と関連するメッセージは1908の放送であって、1912でサーバを押した。サーバで、サイネージ識別子はデータベース1914から抜き取られ、メッセージは1916で表示のために進められる。メッセージは1922でデジタルサイネージでメッセージのリストに加えられ、メッセージは1926でメッセージのリストの好適な位置（例えば上部または一番下）で加えられる。1928で、サイネージディスプレイは、リフレッシュされる。ユーザ・メッセージが非放送された可能にされたセルに、送られた以外場合、メッセージ除去は1910で要請される。サーバで、メッセージは1920で却下される。サイネージ 1924で決定されるとき、メッセージが表示された場合、メッセージ1930およびディスプレイでリストから急に置かれ、1928でリフレッシュする。このような方法で、デジタルサイネージ上のメッセージは、サイネージのユーザ存在に基づいて提供されることができ、特定のユーザ側面にカスタマイズされることができる。ユーザがセルまたはサイネージの位置を逸脱したあと、カスタマイズされたメッセージは削除されることができ、カスタムメイドか一般の他のメッセージと取り替えられることができる。
【００４７】
図20A-20Bは、デジタルサイネージを有する相互作用と関連するメッセージアップデートを例示する。図20Aは、新規なメッセージ（MESSAGE 3）のハンドセットに表示されるメッセージのリストのトップへの追加を示す。例えば、図20Bは、メッセージと関連する場所にもはや存在しないユーザに応答して、リストからメッセージ（MESSAGE 2）の除去を示す。
【００４８】
図21を参照すると、選択されたベンダーから入手可能な現場コンテンツを作る方法は、2102のベンダーからの入札を集めておよび／または入札をデータベース2104から取り出すことを含む。入札者予算は、反復する時間（例えば１日の総計、週、月または他の時間）の間の予算として、典型的には保存することができる。営外居住者は、時間、日、週または月のような選択時間の間の利用できる予算を有しない入札者から、それらのような宣言するまたは、平均が2106で取り除かれることができる入札とかなり異なる。集められるユーザに基づくウォークスルー（wtc_avg）につき平均原価は値をつけて引き、営外居住者入札は推定されることができ、入札が平均ウォークスルー・コストより大きい小売業者は2110で小売業者リストに加えられる。小売業者リストはまた、入札がより大きいかより小さい入札者に限られる。
【００４９】
この小売業者リスト上の小売業者に関連した印象がどんなコンテンツがユーザによって見られるか2116およびコンテンツが見られるところでまたは選択された小売業者製品のバーコードをスキャンすることに基づいて受け取られる場合、この印象のリファレンスは負担を2118と評価するためにデータベース2120に加えられる。印象は、後でベンダーコンテンツが発表される同じ時、コンテンツ、クーポンの使用のようなコンテンツと関連する購入またはベンダーへの登録が実質的に前提する小売業者のまたは所定の時間の範囲内の視聴を含む。一般的に、いかなる視聴もまたは入札過程までに提供されるコンテンツへの接近が、入札者を満たすための基礎として使われることができる。多くの場合、入札プロセスはベンダー・クーポンを提供するために配置され、クーポンの使用は入札者負担を伴う。2122で、入札者に対する完全負担は入札者予算と比較され、予算が上回った場合、小売業者は2124でリストから取り除かれる。平均ウォークスルー・コストは再計算され、小売業者リストは2126で修正される。入札者が、日または週のような時間の間の彼の予算を上回った場合、2128で、予算が新しい時間の間のリセットでなければならないかどうか決定される。
【００５０】
図22は、現場の表題2202を示すように構成されるモバイルデバイスディスプレイおよび代表的なコンテンツロケーション2206のようなコンテンツロケーションを識別している場地図2204の代表例である。コンテンツロケーション2206は、近くのベンダーのための割引クーポンの入手可能性を示すために通貨シンボルまたは他のシンボルを含むために表示される。割引クーポンの表現2208は表示されることができ、そして、現場地図2204およびクーポン2208の表示は大きくされることができるかまたはツールバー2210を使用することを減らした。
【００５１】
場合によっては、コンテンツデータベースの発現は相当な効果を必要とし、現場管理人はアクセスをデータベースに制限するのを好むことができる。パスワード等に基づいてアクセスを制限する代わりに、1つの場所のための位置特定のコンテンツが異なる場所に割り当てられるように見えるために、アクセス・ポイント名は周期的に再設定されることができる。認可された場所、デバイスまたはユーザから場管理人までされるコンテンツ要請は適当なコンテンツを検索することができ、その一方で、他のコンテンツ要請は不適当なコンテンツを受信する。図25に関連して、2502で、コントローラは開発され、BSSIDsを複数のアクセス・ポイント2504A-2504Fに指定して、ワイド・エリア・ネットワーク2506を経たBSSIDsを伝達する。2507で、BSSIDsはデータベース2508において更新される。動作において、アクセス・ポイントは2510でBSSIDsのような識別子を放送した、そして、2512で、時刻（TOD）がBSSID再割当て（それは、最小のシステム使用と関連する時間に好ましくはされる）に適当かどうか決定される。TODがこの点に関しては少しも更なる、不適当でない動きで在宅中である場合、2514で必要とされる。一方、2513で、アクセス・ポイントはMACアドレスおよび／またはBBSIDsをコントローラに報告すし、各々の報告しているアクセス・ポイントのために、クライアントが2516で現在アクセス・ポイントと関係しているかどうか決定される。アクセスが示す一つ以上がクライアントを有する場合、再割当ては延期され、または2518でキャンセルされる。一方、新規なBSSIDsは、2520で生成され、2522で現在であるか原物のBSSIDsにマップされる。各々の報告しているアクセス・ポイントのBSSIDは、それから2524で再設定されることができる。他の実施形態において、1または2、3のアクセス・ポイントはBSSID再割当てに従属する、そして、全ての再割当ては1つの実施形態だけである。この種の再割当てについては、前のユーザが現地調達率を有するアクセス・ポイントのためのRFサインを決めた場合であっても、再割当てへの接近が利用できない限り、BSSID再割当ては少なくとも一時的にコンテンツアクセスのじゃまをするのに効果的である。このような方法で、現場管理人は、コンテンツへの接近を制御することができる。
【００５２】
例示の実施形態が開示の原則から逸脱することなく、デバイスおよび詳細において修正されることができると認識される。たとえば、ソフトウェアの写真入りの図示した実施形態のエレメントは、ハードウェアに実装されることができ、その逆も真である。また、いかなる実施形態からの技術は、他の実施形態のいかなる一つ以上にも記載されている技術と結合されることができる。開示の原則が適用されることができる多くの可能な実施形態からみて、例示の実施形態が実施形態であって、開示の範囲に対する制限として、されてはならないと認識されなければならない。たとえば、システムのさまざまな構成要素および本願明細書において記載されているツールは、機能および使用法に組み込まれることができる。
【図１Ａ】
2013545154.tif 000003
【図１Ｂ】
2013545154.tif 000004
【図６】
2013545154.tif 000005
【図８】
2013545154.tif 000006
【図９】
2013545154.tif 000007
【図１０Ａ】
2013545154.tif 000008
【図１０Ｂ】
2013545154.tif 000009
【図１１】
2013545154.tif 000010
【図１２】
2013545154.tif 000011
【図１３】
2013545154.tif 000012
【図１８Ａ】
2013545154.tif 000013
【図１８Ｂ】
2013545154.tif 000014
【図１８Ｃ】
2013545154.tif 000015
【図１９】
2013545154.tif 000016
【図２０Ａ】
2013545154.tif 000017
【図２０Ｂ】
2013545154.tif 000018
【図２１】
2013545154.tif 000019
【図２３】
2013545154.tif 000020
【図２４】
2013545154.tif 000021
【図２５】
2013545154.tif 000022
【図２】
2013545154.tif 000023
【図３】
2013545154.tif 000024
【図４】
2013545154.tif 000025
【図５】
2013545154.tif 000026
【図７】
2013545154.tif 000027
【図１４】
2013545154.tif 000028
【図１５】
2013545154.tif 000029
【図１６】
2013545154.tif 000030
【図１７】
2013545154.tif 000031
【図２２】
2013545154.tif 000032
【国際調査報告】
2013545154.tif 000033
2013545154.tif 000034